(57)【要約】【課題】  異常検出器によって異常が検出された際に異常検出器と同じ建物内の家人等との連絡が容易な異常報知システムを提供する。【解決手段】  屋内に設置されて異常を検出する異常検出器１と、異常検出器１と同じ建物内に設置された通話装置としての親機３とを備える。親機３は、公衆網ＮＷに接続されており、異常検出器１によって異常が検出されたときに、予め登録された携帯電話機２に対して異常を報知するとともに、上記の携帯電話機２との間での通話状態に移行する。異常検出器１によって異常が検出されたときには、上記のように異常検出器１と同じ建物内の親機３が携帯電話機２との間での通話状態に自動的に移行することにより、携帯電話機２を所持する使用者にとって、上記の建物内の家人等に対する安否確認等の連絡が容易となる。【選択図】図１
2011182324.tif 000002
【特許請求の範囲】
【請求項１】
それぞれ共通の建物に配置されて異常を検出する少なくとも１個の異常検出器と、
前記建物内に配置されるとともに公衆網に接続され、いずれかの前記異常検出部によって異常が検出されたときに、公衆網に接続された所定の携帯電話機に対して異常を報知するとともに、前記携帯電話機との間で通話状態に移行する通話装置とを備えることを特徴とする異常報知システム。
【発明の詳細な説明】
【技術分野】
【０００１】
本発明は、異常報知システムに関するものである。
【背景技術】
【０００２】
従来から、建物に設置された異常検出器によって異常が検出されたときに、予め登録された携帯電話機に対して電子メール等による報知を行う異常報知システムが提供されている（例えば、特許文献１参照）。
【先行技術文献】
【特許文献】
【０００３】
【特許文献１】特開２００４−１３５１９７号公報
【発明の概要】
【発明が解決しようとする課題】
【０００４】
従来、上記のような携帯電話機への報知によって異常の発生を知った使用者が上記建物内の家人等の在宅や安否を確認するには、別途に携帯電話機から電話をかける必要があった。
【０００５】
本発明は、上記事由に鑑みて為されたものであり、その目的は、異常検出器によって異常が検出された際に異常検出器と同じ建物内の家人等との連絡が容易な異常報知システムを提供することにある。
【課題を解決するための手段】
【０００６】
本発明は、それぞれ共通の建物に配置されて異常を検出する少なくとも１個の異常検出器と、前記建物内に配置されるとともに公衆網に接続され、いずれかの前記異常検出部によって異常が検出されたときに、公衆網に接続された所定の携帯電話機に対して異常を報知するとともに、前記携帯電話機との間で通話状態に移行する通話装置とを備えることを特徴とする。
【発明の効果】
【０００７】
本発明によれば、異常検出器によって異常が検出されたときには、異常検出器と同じ建物内の通話装置が自動的に所定の携帯電話機との通話状態に移行するから、該携帯電話機を所持する使用者にとって、上記の建物内の家人等に対する安否確認等の連絡が容易となる。
【図面の簡単な説明】
【０００８】
【図１】本発明の実施形態を示すブロック図である。
【発明を実施するための形態】
【０００９】
以下、本発明を実施するための最良の形態について、図面を参照しながら説明する。
【００１０】
本実施形態は、図１に示すように、建物に設置されて異常を検出する異常検出器１と、異常検出器１と同じ建物内に設置されて公衆網ＮＷに接続され、異常検出器１によって異常が検出されたときに、予め登録された携帯電話機２に対して異常を報知するとともに、上記の携帯電話機２との間で通話状態に移行する通話装置としての親機３とを備える。
【００１１】
また、親機３は、それぞれ異常検出器１及び親機３と同じ建物に設置されて親機３との間での通話が可能な子器４及び副親機５とともにインターホンシステムを構成するものである。
【００１２】
さらに、親機３には、撮像により画像信号を生成するカメラ６が接続されている。カメラ６は例えば異常検出器１によって異常が検出される室内等を撮像するものである。また、子器４はカメラ６と同様の撮像機能を有する。親機３及び副親機５では、それぞれ、子器４やカメラ６から送信された画像信号を再生した画像を表示可能となっている。
【００１３】
ここで、異常検出器１と副親機５とカメラ６とは１個ずつのみを図示しているが、これらは複数個を設けてもよい。
【００１４】
詳しく説明すると、異常検出器１と、親機３と、子器４と、副親機５と、カメラ６とは、それぞれ、相互に通信を行うための通信部１１，３１，４１，５１，６１を有する。通信部１１，３１，４１，５１，６１による通信は、伝送線路（図示せず）を介して有線で行われるものであってもよいし、電波等の適宜の媒体を用いたワイヤレス信号により無線で行われるものであってもよい。さらに、親機３との間の通信は、異常検出器１と子器４と副親機５とカメラ６とのうち複数個が互いに共通の媒体（伝送線路又は電波）を用いて周知の多重伝送技術により行なってもよいし、異常検出器１と子器４と副親機５とカメラ６とがそれぞれ専用の媒体により行ってもよい。いずれの場合であっても通信部１１，３１，４１，５１，６１は周知技術で実現可能であるので、詳細な図示並びに説明は省略する。
【００１５】
また、親機３と、子器４と、副親機５とは、それぞれ、通話に用いられる通話部３２，４２，５２を有する。通話部３２，４２，５２は、音声を電気信号である音声信号に変換する周知のマイクロホン（図示せず）と、入力された音声信号を音声に変換する周知のスピーカー（図示せず）と、マイクロホンが出力した音声信号（以下、「送話信号」と呼ぶ。）を増幅して通信部３１，４１，５１に入力する送話状態と通信部３１，４１，５１から入力され増幅された音声信号（以下、「受話信号」と呼ぶ。）をスピーカーに入力する受話状態との一方に択一的に切り替わる周知の音声スイッチ（図示せず）とを備える。音声スイッチは、通話が行われている状態（以下、「通話状態」と呼ぶ。）では、送話信号の強度と受話信号の強度とを比較し、送話信号の強度の方が受話信号の強度よりも高い場合には送話状態に切り替わり、受話信号の強度の方が送話信号の強度よりも高い場合には受話状態に切り替わるという比較動作を随時行う。上記のような通話部３２，４２，５２は周知技術で実現可能であるので、詳細な図示並びに説明は省略する。
【００１６】
異常検出器１は、異常を検出するとともに異常が検出されたときに通信部１１を介して所定の異常報知信号を親機３へ送信する異常検出部１２を有する。異常検出部１２が検出する異常としては、例えば、火災や、ガス漏れや、窓ガラスの破壊などが考えられる。煙に基いて火災を検出する場合には、異常検出部１２は、火災を検出されるべき空間に連通した空間に光を照射する発光素子（図示せず）と、この発光素子の光が煙によって散乱された光を検出する光センサー（図示せず）と、この光センサーの出力に基いて火災を検出する電子回路である検出回路（図示せず）とで構成することができる。また、熱に基いて火災を検出する場合には、異常検出部１２は、火災を検出されるべき空間から入射する赤外光を検出する焦電センサー（図示せず）と、この焦電センサーの出力に基いて火災を検出する電子回路である検出回路（図示せず）とで構成することができる。さらに、ガス漏れを検出する場合には、周知のガスセンサー（図示せず）と、このガスセンサーの出力に基いてガス漏れを検出する電子回路である検出回路（図示せず）とで構成することができる。また、窓ガラスの破壊を検出する場合には、異常検出部１２は、窓ガラスの振動を電気信号に変換する圧電素子（図示せず）と、この圧電素子の出力からいわゆるアコースティックエミッションの周波数成分を抽出するフィルタ回路（図示せず）と、このフィルタ回路の出力に基いて窓ガラスの破壊を検出する電子回路である検出回路（図示せず）とで構成することができる。上記のような各種の異常検出器１はいずれも周知技術で実現可能であるので、詳細な図示並びに説明は省略する。
【００１７】
子器４とカメラ６とは、それぞれ、画像信号を生成する撮像部４３，６３を有する。撮像部４３，６３は、例えばＣＣＤやＣＭＯＳで構成された撮像素子（図示せず）と、撮像素子の出力から画像信号を生成して通信部４１，６１から送信する信号処理回路（図示せず）とからなる。
【００１８】
親機３と副親機５とは、それぞれ、子器４やカメラ６から通信部に受信された画像信号を再生した画像を表示することができる表示部３３，５３を有する。表示部３３，５３は、例えば、液晶パネル（図示せず）と、液晶パネルを駆動する駆動回路（図示せず）とで構成することができる。
【００１９】
さらに、親機３と副親機５とは、それぞれ、操作入力を受け付ける操作部３４，５４と、操作部３４，５４に受け付けられた操作入力と通信部３１，５１に受信された信号とに応じて通信部３１，５１と通話部３２，５２と表示部３３，５３とをそれそれ制御する制御部３５，５５を備える。操作部３４，５４は例えば押釦スイッチやタッチパネルといった周知の入力装置を用いて実現することができる。また、制御部３５，５５は、例えばマイクロコントローラーを用いて周知技術で実現することができる。
【００２０】
親機３と副親機５とのそれぞれにおいて、制御部３５，５５は、子器４又はカメラ６で撮像された画像の表示が操作部３４，５４への操作入力により指示されると、子器４又はカメラ６のうち該指示において指定されたものの撮像部４３，６３を制御して画像信号の送信を開始させるとともに、通信部３１，５１に受信された画像信号を再生した画像を表示するように表示部３３，５３を制御するという表示動作を開始する。また、表示動作中に、表示動作の終了が操作部３４，５４への操作入力により指示されると、表示動作を終了する。
【００２１】
また、子器４は、押釦スイッチ（図示せず）を有してこの押釦スイッチが押操作されたときに通信部４１を介して所定の呼出信号を親機３及び副親機５に送信するとともに撮像部４３からの画像信号の送信を開始させる呼出部４４を有する。
【００２２】
呼出信号が通信部３１，５１に受信されたときの親機３と副親機５との制御部３５，５５の動作を説明する。まず、制御部３５，５５は、通話部３２，５２のスピーカーを制御して所定の呼出音を発生させるとともに、子器４から送信された画像信号を再生した画像の表示を表示部３３，５３に開始させる。その後、制御部３５，５５は、操作部３４，５４において、子器４との通話の開始を指示する操作入力を受け付ける応答待ち状態となる。そして、応答待ち状態で操作部３４，５４において子器４との通話の開始が指示された場合、他の装置（親機３又は副親機５）における応答待ち状態を終了させるように適宜の信号を通信部３２，５２から送信するとともに、通話部３２，５２の制御と、通信部３１，５１を介した子器４の通話部３２の制御とにより、子器４との間で通話を可能とする通話状態に移行する。また、通話状態で、通話の終了が操作部３４，５４への操作入力により指示されると、制御部３５，５５は通話状態を終了させる。一方、応答待ち状態で通話の開始が指示されることなく所定時間が経過するか、他の装置（親機３又は副親機５）で通話状態への移行がなされると、応答待ち状態を終了する。
【００２３】
さらに、親機３は、公衆網ＮＷに接続された公衆網接続部３６を有する。公衆網接続部３６としては例えば周知のモデムやゲートウェイを用いることができる。また、公衆網接続部３６は、親機３のハウジング（図示せず）に制御部３５等とともに内蔵されていてもよいし、親機３に対して外付けされるモジュールとして構成されていてもよい。
【００２４】
以下、本実施形態の特徴である、異常検出器１で異常が検出されたときの親機３の動作を説明する。
【００２５】
親機３の制御部３５は、異常検出器１から送信された異常報知信号が通信部３１に受信されると、公衆網接続部３６と公衆網ＮＷとを介した通信により、携帯電話機２に対して異常の発生を報知する。この報知は、電子メールによって行われてもよいし、通常の電話と同様の発呼を経て音声メッセージにより行われてもよい。また、異常報知信号を送信した異常検出器１に対して予め対応付けられたカメラ６（例えば、異常検出器１と同じ室内に設置されたカメラ６）が存在する場合に、そのカメラ６での撮像で得られた画像信号が、上記の報知の際に携帯電話機２に送信されるようにしてもよい。
【００２６】
また、親機３の制御部３５は、携帯電話機２に対する上記の報知の終了後、通話部３２の制御と、通信部３１を介した副親機５との通信と、公衆網接続部３６と公衆網ＮＷとを介した通信とにより、親機３及び副親機５の各通話部３２，５２を、それぞれ携帯電話機２との間での通話状態に移行させる。つまり、携帯電話機２と、親機３及び副親機５との間で、１対複数の通話が開始される。また、携帯電話機２と親機３と副親機５とのいずれかで通話の終了が操作入力により指示されると、親機３の制御部３５は上記の通話状態を終了させる。
【００２７】
ここで、異常の報知とその後の通話とは、報知を音声メッセージによって行うことで報知と通話とを共に公衆網ＮＷとしての電話回線を通じて行ったり、周知のＶｏＩＰ技術を用いて通話と報知とをともに公衆網ＮＷとしてのIP（InternetProtocol：インターネットプロトコル）ネットワークを通じて行うといったように、報知と通話とで互いに共通の回線を用いてもよいし、例えば報知をＩＰネットワークを通じて行い通話を電話回線を通じて行うといったように、報知と通話とで別途の回線を用いてもよい。いずれの場合にも公衆網接続部３６は周知技術で実現可能であるので詳細な説明は省略する。
【００２８】
上記構成によれば、異常検出器１によって異常が検出されたとき、携帯電話機２への報知とともに携帯電話機２と屋内の親機３等との間での通話が自動的に開始される。従って、携帯電話機２を所持する使用者は、上記の通話において家人等から応答があったときには、家人等の在宅及び安否を知ることができるとともに、上記の通話による避難誘導が可能となる。
【符号の説明】
【００２９】
１  異常検出器
２  携帯電話機
３  親機（通話装置）
４  子器
５  副親機
６  カメラ
ＮＷ  公衆網
【図１】
2011182324.tif 000003